【事件の表示】
　特許第２８２３４６５号「ユニット建物の屋外階段設置構造」の特許に対する特許異議の申立てについて、次のとおり決定する。
【結　論】
　特許第２８２３４６５号の特許を取り消す。
【理　由】
１．手続の経緯
　本件特許第２８２３４６５号に係る出願は、平成５年１月１９日の出願であって、平成１０年９月４日に特許の設定登録がなされ、その後、岡田芳子から特許異議の申立がなされ、取消理由通知が通知され、その指定期間内である平成１１年１０月５日に訂正請求がなされた後、訂正拒絶理由通知が通知され、それに対して、平成１２年２月２日付けで意見書が提出されたものである。
　
２．訂正の要旨
　訂正事項ａ：特許請求の範囲の【請求項１】を、特許請求の範囲の減縮を目的として、次のように訂正する。
「【請求項１】　多層階ユニット建物の各階に屋外階段を設置する構造において、建物ユニットを離し置きし、離し置きにより生ずる空間の各階に床フレームを配置し、該床フレームの弾性撓み限界を建物ユニットの弾性撓み限界と略同等にし、該床フレームを建物ユニットに接続するとともに、該床フレームに屋外階段を接続してなることを特徴とするユニット建物の屋外階段設置構造。」
　訂正事項ｂ：特許請求の範囲の記載と発明の詳細な説明の記載との整合を図るため、明瞭でない記載の釈明を目的として、明細書の段落【０００７】の記載を次のように訂正する。
「【０００７】
　【課題を解決するための手段】
　本発明は、多層階ユニット建物の各階に屋外階段を設置する構造において、建物ユニットを離し置きし、離し置きにより生ずる空間の各階に床フレームを配置し、該床フレームの弾性撓み限界を建物ユニットの弾性撓み限界と略同等にし、該床フレームを建物ユニットに接続するとともに、該床フレームに屋外階段を接続してなるようにしたものである。」
　訂正事項ｃ：特許請求の範囲の記載と発明の詳細な説明の記載との整合を図るため、明瞭でない記載の釈明を目的として、明細書の段落【０００９】の第１行「床フレームは、」の記載を、次のように訂正する。
「床フレームは、その弾性撓み限界を建物ユニットの弾性撓み限界と略同等にしているから、」
　訂正事項ｄ：特許請求の範囲の記載と発明の詳細な説明の記載との整合を図るため、明瞭でない記載の釈明を目的として、明細書の段落【００１２】の第４行「ユニット階段１３を接続している。」の記載を、次のように訂正する。
「ユニット階段１３を接続している。この床フレーム１４の弾性撓み限界と建物ユニット１１、１１の弾性撓み限界とは略同等に設定してある。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂ乃至ｄに係る訂正は、訂正事項ａに関連してなされた明瞭でない記載の釈明に該当し、願書に添付した明細書又は図面に記載した事項の範囲内のものであり、さらに、実質上特許請求の範囲を拡張し、又は変更するものではない。
　
（２）独立特許要件の判断
Ａ．訂正明細書の請求項１に係る発明
　訂正明細書の請求項１に係る発明は、訂正明細書の特許請求の範囲の請求項１に記載された次のとおりのものである。（以下、「訂正後発明１」という。）
「【請求項１】　多層階ユニット建物の各階に屋外階段を設置する構造において、建物ユニットを離し置きし、離し置きにより生ずる空間の各階に床フレームを配置し、該床フレームの弾性撓み限界を建物ユニットの弾性撓み限界と略同等にし、該床フレームを建物ユニットに接続するとともに、該床フレームに屋外階段を接続してなることを特徴とするユニット建物の屋外階段設置構造。」
Ｂ．引用刊行物記載の発明
　訂正後発明１に対して、当審が先に通知した訂正拒絶理由で引用した、特開昭６３−２９３２４８号公報（以下、「刊行物１」という。）には、下記の記載
イ．第２頁左上欄第３〜５行に「本発明は、ユニット建物の構造をより簡素化し、かつ広い建物空間を形成することを目的とする。」
ロ．同第１７行から右上欄第１行に「本発明によれば、離隔配置された建物ユニット間に建物空間が形成され、隣り合う建物ユニットの柱、梁等が互いに重なり合うことのない、構造上の無駄が排されたユニット建物を得ることができる。」
ハ．第２頁右下欄第４〜１０行に「ここで、ユニット建物１０は、各階の玄関前空間１２Ａ、１２Ｂを挟む両側の建物ユニット１１Ｌ、１１Ｒを相互に離隔配置し、この離隔配置されている建物ユニット１１Ｌ、１１Ｒの間に玄関前空間１２Ａ、１２Ｂのための床フレーム１７と天井フレーム１８を配設している。（第４図参照）。」
ニ．同第１６行から第３頁左上欄第４行「上記床フレーム１７は、両縦枠１９のそれぞれにおける一端部を対応する１階建物ユニット１１Ｌ、１１Ｒの後面コーナー部の柱１６に接続具２２を介して支持され、両縦枠１９のそれぞれにおける中間部を対応する１階建物ユニット１１Ｌ、１１Ｒの前面コーナー部の柱１６に接続具２３を介して支持される。また、床フレーム１７の前面側の端部は、両側の建物ユニット１１Ｌ、１１Ｒより前方に突出配置される。」
ホ．第３頁右上欄第５〜１１行「なお、階段１３の下端部は１階基礎に固定され、階段１３の上端部は吹抜け開口部３２を形成することとなる床フレーム１７の床受材（不図示）に固定される。階段１３の上端部が臨む床フレーム１７の後面寄りの一部は、隣り合う住宅の玄関１０Ａに連なる玄関廊下を形成する。」
及び第２〜４図の記載を参照すると、「隣り合う建物ユニットの柱、梁等が互いに重なり合うという、構造上の無駄を排するために、多層階ユニット建物の各階の玄関前空間を挟む両側の建物ユニットを離隔配置し、離隔配置した建物ユニット間に床フレームを配設し、床フレームを建物ユニットに接続具を介して支持するとともに、床フレームに階段を固定してなるユニット建物の階段設置構造」が記載されているものと認める。
Ｃ．対比・判断
　訂正後発明１と、刊行物１に記載された発明とを比較すると、刊行物１に記載された発明における階段は、玄関前空間に連なる点及び図面からみて、当然屋外階段であるから、両者は、多層階ユニット建物の各階に屋外階段を設置する構造において、建物ユニットを離し置きし、離し置きにより生ずる空間の各階に床フレームを配置し、該床スレームを建物ユニットに接続するとともに、該床フレームに屋外階段を接続してなるユニット建物の屋外階段設置構造の点で一致し、下記の点で相違している。
ａ．訂正後発明１では、床フレームの弾性撓み限界を建物ユニットの弾性撓み限界と略同等にしているのに対し、刊行物１に記載された発明には、そのような構成が記載されていない点。
　しかしながら、一般的に、接合されたユニット相互の弾性撓み限界を略同等にすることは、構造上、当業者が容易に想到しうる程度のことである。
　なお、権利者は意見書で、「刊行物１は、多層階建ではない、２階建のユニット建物についての発明であります。」、「本件発明のユニット建物の屋外階段設置構造は、・・・３階建以上の多層階建物ユニットにとって、産業上極めて有用なものになっています。」と述べているが、２階建も多層階建であるし、本件発明のユニット建物の屋外階段設置構造は、３階建以上の多層階建物ユニットに関するとの限定は請求の範囲に記載されていない。
　
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第３項でさらに準用する特許法第１２６条第４項の規定に適合しないので、当該訂正は認められない。
　
４．異議の申立てについての判断
（１）本件発明
　特許第２８２３４６５号の請求項１に係る発明（以下、「本件発明１」という。）は、特許明細書の記載からみて、その特許請求の範囲の請求項１に記載された次の事項により構成されるとおりのものである。
「【請求項１】　ユニット建物の屋外階段設置構造において、建物ユニットを離し置きし、離し置きにより生ずる空間に床フレームを配置し、該床フレームを建物ユニットに接続するとともに、該床フレームに屋外階段を接続してなることを特徴とするユニット建物の屋外階段設置構造。」
　
（２）引用刊行物記載の発明
　当審が先に取消理由通知において引用した刊行物１（特開昭６３−２９３２４８号公報）には、上記３．（２）Ｂ．に記載したとおりの発明が記載されている。
　
（３）対比・判断　
　本件発明１と刊行物１に記載された発明とを比較すると、刊行物１に記載された発明における階段は、玄関前空間に連なる点及び図面からみて、当然屋外階段であるから、刊行物１には本件発明１と同様の構成が記載されていることになる。
  したがって、本件発明１は、上記刊行物１に記載された発明であるから、特許法第２９条第１項第３号の規定により特許を受けることができない。
　
（４）むすび
　以上のとおりであるから、本件発明１についての特許は拒絶の査定をしなければならない特許出願に対してされたものであり、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第１項及び第２項の規定により、結論のとおり決定する。
【異議決定日】
平成１２年３月１４日（２０００．３．１４）